(57)【要約】【課題】機械操作に不慣れな使用者であっても簡単操作を可能とする。【解決手段】プロジェクターと書画カメラとをＵＳＢインターフェイスを介して直接接続する。プロジェクターは、表示する画像の入力ソースを切り替える入力ソース切替部と、前記ＵＳＢインターフェイスによる通信経路を確立する通信確立部（Ｓ１１０、Ｓ１２０）と、前記通信確立部により前記通信が確立されたことを受けて、前記入力ソース切替部を制御して前記入力ソースを前記画像信号供給装置に切り替える切替制御部（Ｓ１６０、Ｓ１７０）とを備える。その後ストリームネゴシエーションを行い（ステップＳ１９０、Ｓ２４０）、書画カメラからプロジェクター１０へのストリームの送受信を行う（ステップＳ２５０、Ｓ１９２）。【選択図】図３
2011186364.tif 000002
【特許請求の範囲】
【請求項１】
画像信号供給装置から供給される画像信号に基づく画像を画像表示装置に表示させる画像表示システムにおいて、
前記画像表示装置は、
前記画像信号に基づく画像を表示する画像表示部と、
前記画像表示部に表示させる画像を表す画像信号の入力ソースを切り替える入力ソース切替部と、
前記画像信号供給装置との通信経路を確立する通信確立部と、
前記通信確立部により前記通信経路が確立されたことを受けて、前記入力ソース切替部を制御して前記入力ソースを前記画像信号供給装置に切り替える切替制御部と、
前記画像信号供給装置から供給される画像信号を受信する画像受信部と
を備え、
前記画像信号供給装置は、
前記切替制御部により前記入力ソースの切り替えがなされた後に、前記画像信号を、前記通信経路を介して前記画像表示装置に送信する画像送信部を備える、画像表示システム。
【請求項２】
請求項１に記載の画像表示システムであって、
前記画像信号供給装置および前記画像表示装置は、それぞれＵＳＢインターフェイスを備え、
前記通信確立部は、
前記画像信号供給装置との間の前記ＵＳＢインターフェイスを介した接続を検出するＵＳＢ接続検出部と、
前記画像信号供給装置のコンフィグレーションディスクリプターを取得するコンフィグレーション設定部と
を備え、
前記画像表示装置は、さらに、
前記コンフィグレーション設定部により取得したコンフィグレーションディスクリプターに基づいて、前記画像を送受信するための条件を確定するストリームネゴシエーション部を備える、画像表示システム。
【請求項３】
請求項２に記載の画像表示システムであって、
前記コンフィグレーションディスクリプターは、前記画像信号供給装置で得られる画像の色空間を規定するための種類データを少なくとも含み、
前記画像表示装置は、
前記種類データに基づいて、前記画像受信部で受信した画像の色補正を行う画像色補正部を備える、画像表示システム。
【請求項４】
請求項１ないし３のいずれかに記載の画像表示システムであって、
前記画像表示装置は、
前記通信確立部による前記通信経路の確立後、前記切替制御部による前記入力ソースの切り替えがなされるまでの間に、前記画像表示装置がスタンバイ状態にあるか否かを判定するスタンバイ状態判定部と、
前記スタンバイ状態判定部によりスタンバイ状態が判定されたとき、前記画像表示装置をスタンバイ状態からオン状態に切り替える起動部と
を備える、画像表示システム。
【請求項５】
画像信号供給装置から供給される画像信号に基づく画像を表示する画像表示装置において、
前記画像信号に基づく画像を表示する画像表示部と、
前記画像表示部に表示させる画像を表す画像信号の入力ソースを切り替える入力ソース切替部と、
前記画像信号供給装置との通信経路を確立する通信確立部と、
前記通信確立部により前記通信経路が確立されたことを受けて、前記入力ソース切替部を制御して前記入力ソースを前記画像信号供給装置に切り替える切替制御部と、
前記通信経路を介して前記画像信号供給装置から供給される画像信号を受信する画像受信部と
を備える画像表示装置。
【請求項６】
請求項５に記載の画像表示装置であって、
前記画像信号供給装置と接続されるＵＳＢインターフェイスを備え、
前記通信確立部は、
前記画像信号供給装置との間の前記ＵＳＢインターフェイスを介した接続を検出するＵＳＢ接続検出部と、
前記画像信号供給装置のコンフィグレーションディスクリプターを取得するコンフィグレーション設定部と
を備え、
さらに、
前記コンフィグレーション設定部により取得したコンフィグレーションディスクリプターに基づいて、前記画像を送受信するための条件を確定するストリームネゴシエーション部を備える、画像表示装置。
【請求項７】
請求項６に記載の画像表示装置であって、
前記コンフィグレーションディスクリプターは、前記画像信号供給装置で得られる画像の色空間を規定するための種類データを少なくとも含み、
前記種類データに基づいて、前記画像受信部で受信した画像の色補正を行う画像色補正部を備える、画像表示装置。
【請求項８】
請求項５に記載の画像表示装置であって、
前記通信確立部による前記通信経路の確立後、前記切替制御部による前記入力ソースの切り替えがなされるまでの間に、前記画像表示装置がスタンバイ状態にあるか否かを判定するスタンバイ状態判定部と、
前記スタンバイ状態判定部によりスタンバイ状態が判定されたとき、前記画像表示装置をスタンバイ状態からオン状態に切り替える起動部と
を備える、画像表示装置。
【請求項９】
請求項５に記載の画像表示装置であって、
前記画像表示部は、
光源と、
光源から射出される光を、前記画像信号に基づいて画像光に変調する光変調素子と、
前記画像光を投写する投写レンズと、を備えたプロジェクターであることを特徴とする画像表示装置。
【請求項１０】
画像信号供給装置から供給される画像信号に基づく画像を画像表示装置に表示させる画像表示システムにおける画像表示方法であって、
前記画像表示装置において、
前記画像信号に基づく画像を表示する画像表示部を用意するステップと、
前記画像表示部に表示させる画像を表す画像信号の入力ソースを切り替える入力ソース切替部を用意するステップと、
前記画像信号供給装置との通信経路を確立する通信確立部を用意するステップと、
前記通信確立部により前記通信経路が確立されたことを受けて、前記入力ソース切替部を制御して前記入力ソースを前記画像信号供給装置に切り替えるステップと、
前記画像信号供給装置から供給される画像信号を受信するステップと
を備え、
前記画像信号供給装置において、
前記切替制御部により前記入力ソースの切り替えがなされた後に、前記画像信号を、前記通信経路を介して前記画像表示装置に送信するステップ
を備えた画像表示システムにおける画像表示方法。
【発明の詳細な説明】
【技術分野】
【０００１】
本発明は、画像信号供給装置と画像表示装置とを備える画像表示システムと、画像表示装置とに関する。
【背景技術】
【０００２】
近年、プロジェクターと書画カメラを用いて、書画カメラで撮像した画像をプロジェクターで投影するということが、プレゼンテーション等で有効活用されている。こうした画像表示システムの一つとして、コンピューターに書画カメラとプロジェクターとを接続し、書画カメラの電源がオンされると、コンピューターが、書画カメラを制御することで資料の撮影を行い、プロジェクターを制御することでその撮影により得られた画像の投影を行う構成が提案されている（特許文献１）。この構成によれば、書画カメラの電源がオンされると、自動的に資料を投影することができる（特許文献１）。
【先行技術文献】
【特許文献】
【０００３】
【特許文献１】特開２００５−７９７３０号公報
【発明の概要】
【発明が解決しようとする課題】
【０００４】
しかしながら、上記従来の技術では、プロジェクターと書画カメラとの間にコンピューターが介在されることから、コンピューター操作が必要となり、機械操作に不慣れな使用者では簡単に操作することができないという問題があった。
【０００５】
本発明は、上述した従来の課題を解決するためになされたものであり、機械操作に不慣れな使用者であっても簡単操作を可能とすることを目的とする。
【課題を解決するための手段】
【０００６】
上記課題の少なくとも一部を解決するために、本発明は、以下の形態または適用例として実現することが可能である。
【０００７】
［適用例１］画像信号供給装置から供給される画像信号に基づく画像を画像表示装置に表示させる画像表示システムにおいて、前記画像表示装置は、前記画像信号に基づく画像を表示する画像表示部と、前記画像表示部に表示させる画像を表す画像信号の入力ソースを切り替える入力ソース切替部と、前記画像信号供給装置との通信経路を確立する通信確立部と、前記通信確立部により前記通信経路が確立されたことを受けて、前記入力ソース切替部を制御して前記入力ソースを前記画像信号供給装置に切り替える切替制御部と、前記画像信号供給装置から供給される画像信号を受信する画像受信部とを備え、前記画像信号供給装置は、前記切替制御部により前記入力ソースの切り替えがなされた後に、前記画像信号を、前記通信経路を介して前記画像表示装置に送信する画像送信部を備える、画像表示システム。
【０００８】
適用例１に記載の画像表示システムでは、画像信号供給装置と画像表示装置との間で通信経路が確立されると、画像表示装置は、切替制御部により、自動的に入力ソースを画像信号供給装置に切り替える。その後、画像信号供給装置から、画像送信部により画像が送信され、画像表示装置は、画像受信部により送られてきた画像を受信する。したがって、使用者は、画像信号供給装置と画像表示装置とを所定の伝送ケーブルを用いて接続するだけで、画像信号供給装置で得られた画像を画像表示装置で簡単に表示することができる。
【０００９】
［適用例２］上記適用例に記載の画像表示システムであって、前記画像信号供給装置および前記画像表示装置は、それぞれＵＳＢインターフェイスを備え、前記通信確立部は、前記画像信号供給装置との間の前記ＵＳＢインターフェイスを介した接続を検出するＵＳＢ接続検出部と、前記画像信号供給装置のコンフィグレーションディスクリプターを取得するコンフィグレーション設定部とを備え、前記画像表示装置は、さらに、前記コンフィグレーション設定部により取得したコンフィグレーションディスクリプターに基づいて、前記画像を送受信するための条件を確定するストリームネゴシエーション部を備える、画像表示システム。
【００１０】
適用例２に記載の画像表示システムは、それぞれＵＳＢインターフェイスを備えているので、所定の伝送ケーブルとしてのＵＳＢケーブルを用いて画像信号供給装置と画像表示装置とを接続するだけで、ＵＳＢの規格に則り、コンフィグレーション設定部により取得したコンフィグレーションディスクリプターに基づいて、前記画像を送受信するための条件を確定することができ、利便性が高い。
【００１１】
［適用例３］上記適用例に記載の画像表示システムであって、前記コンフィグレーションディスクリプターは、前記画像信号供給装置で得られる画像の色空間を規定するための種類データを少なくとも含み、前記画像表示装置は、前記種類データに基づいて、前記画像受信部で受信した画像の色補正を行う画像色補正部を備える、画像表示システム。
【００１２】
適用例３に記載の画像表示システムでは、画像信号供給装置で得られた画像は、画像表示装置の色域内で忠実に再現できるように色補正される。したがって、適用例３に記載の画像表示システムは、色の再現性に優れている。
【００１３】
［適用例４］上記適用例に記載の画像表示システムであって、前記画像表示装置は、前記通信確立部による前記通信経路の確立後、前記切替制御部による前記入力ソースの切り替えがなされるまでの間に、前記画像表示装置がスタンバイ状態にあるか否かを判定するスタンバイ状態判定部と、前記スタンバイ状態判定部によりスタンバイ状態が判定されたとき、前記画像表示装置をスタンバイ状態からオン状態に切り替える起動部とを備える、画像表示システム。
【００１４】
適用例４に記載の画像表示システムでは、画像信号供給装置と画像表示装置との間で通信経路が確立された後に、画像表示装置がスタンバイ状態にある場合にオン状態に自動的に切り替えられる。したがって、画像信号供給装置で得られた画像を画像表示装置で簡単に表示することが確実に行われる。
【００１５】
［適用例５］画像信号供給装置から供給される画像信号に基づく画像を表示する画像表示装置において、表示する画像の入力ソースを切り替える入力ソース切替部と、前記ＵＳＢインターフェイスによる通信経路を確立する通信確立部と、前記通信確立部により前記通信経路が確立されたことを受けて、前記入力ソース切替部を制御して前記入力ソースを前記画像信号供給装置に切り替える切替制御部とを備える画像表示装置。
【００１６】
適用例５に記載の画像表示装置では、画像信号供給装置との間で通信経路が確立されると、切替制御部により、自動的に入力ソースが画像信号供給装置に切り替えられる。したがって、適用例１に記載の画像表示システムと同様に、使用者は、画像信号供給装置と画像表示装置とを接続するだけで、画像信号供給装置で得られた画像を画像表示装置に簡単に表示させることができる。
【００１７】
他の適用例の画像表示装置として、適用例２ないし４のいずれかに記載の画像表示システムの構成要素を適用例５に記載の画像表示装置に加えた構成としてもよい。
【００１８】
［適用例６］上記適用例に記載の画像表示装置であって、前記画像信号供給装置と接続されるＵＳＢインターフェイスを備え、前記通信確立部は、前記画像信号供給装置との間の前記ＵＳＢインターフェイスを介した接続を検出するＵＳＢ接続検出部と、前記画像信号供給装置のコンフィグレーションディスクリプタスクリプターを取得するコンフィグレーション設定部とを備え、さらに、前記コンフィグレーション設定部により取得したコンフィグレーションディスクリプタスクリプターに基づいて、前記画像を送受信するための条件を確定するストリームネゴシエーション部を備えることが好ましい。
【００１９】
［適用例７］上記適用例に記載の画像表示装置であって、前記コンフィグレーションディスクリプタスクリプターは、前記画像信号供給装置で得られる画像の色空間を規定するための種類データを少なくとも含み、前記種類データに基づいて、前記画像受信部で受信した画像の色補正を行う画像色補正部を備えることが好ましい。
【００２０】
［適用例８］上記適用例に記載の画像表示装置であって、前記通信確立部による前記通信経路の確立後、前記切替制御部による前記入力ソースの切り替えがなされるまでの間に、前記画像表示装置がスタンバイ状態にあるか否かを判定するスタンバイ状態判定部と、前記スタンバイ状態判定部によりスタンバイ状態が判定されたとき、前記画像表示装置をスタンバイ状態からオン状態に切り替える起動部とを備えることが好ましい。
【００２１】
［適用例９］上記適用例に記載の画像表示装置であって、前記画像表示部は、光源と、光源から射出される光を、前記画像信号に基づいて画像光に変調する光変調素子と、前記画像光を投写する投写レンズと、を備えたプロジェクターであることが好ましい。
【００２２】
また、本発明は、種々の態様で実現することが可能であり、例えば、前記画像信号供給装置または前記画像表示装置の各部を実現するための方法、前記各部を実現するためのコンピュータープログラム、そのコンピュータープログラムを記録した記録媒体、そのコンピュータープログラムを含み搬送波内に具現化されたデータ信号、等の形態で実現することができる。
【００２３】
［適用例１０］本適用例に記載の画像表示システムにおける画像表示方法は、画像信号供給装置から供給される画像信号に基づく画像を画像表示装置に表示させる画像表示システムにおける画像表示方法であって、前記画像表示装置において、前記画像信号に基づく画像を表示する画像表示部を用意するステップと、前記画像表示部に表示させる画像を表す画像信号の入力ソースを切り替える入力ソース切替部を用意するステップと、前記画像信号供給装置との通信経路を確立する通信確立部を用意するステップと、前記通信確立部により前記通信経路が確立されたことを受けて、前記入力ソース切替部を制御して前記入力ソースを前記画像信号供給装置に切り替えるステップと、前記画像信号供給装置から供給される画像信号を受信するステップとを備え、前記画像信号供給装置において、前記切替制御部により前記入力ソースの切り替えがなされた後に、前記画像信号を、前記通信経路を介して前記画像表示装置に送信するステップを備えた画像表示システムにおける画像表示方法。
【図面の簡単な説明】
【００２４】
【図１】本発明の一実施例としてのプロジェクターシステム１００の概略構成を示す説明図である。
【図２】プロジェクター１０と書画カメラ５０の内部構成を示す説明図である。
【図３】プロジェクター１０および書画カメラ５０の各制御部２０、７０で実行される接続時処理を示すフローチャートである。
【図４】プロジェクター１０の投写部３４の内部構成を示す説明図である。
【発明を実施するための形態】
【００２５】
以下、本発明の実施の形態を、図面を参照しつつ実施例に基づいて説明する。
【００２６】
１．ハードウェアの構成：
図１は、本発明の一実施例としてのプロジェクターシステムの概略構成を示す説明図である。図示するように、プロジェクターシステム１００は、プロジェクター１０と、このプロジェクター１０に接続される４台の画像入力機器、すなわち、書画カメラ５０と、パーソナルコンピューター９０と、ビデオテープレコーダー（ＶＴＲ）９１と、ＤＶＤプレーヤー９２とを備える。これら画像入力機器は、プロジェクター１０に対して画像の入力ソースを提供する。ここで、画像とは、静止画、動画（すなわち映像）のいずれであってもよい。書画カメラ５０は映像を取得する。プロジェクター１０は、これら入力ソースのうちから所望のものを選択し、その選択した入力ソースに基づいて、画像をスクリーンＳＣに表示（投写）する。
【００２７】
書画カメラ５０は、基台５２と、載置面５４と、アーム５６と、カメラヘッド５８と、操作パネル６０等を備える。載置面５４は、基台５２上に設けられ、文字や絵が描かれた紙や、立体的な物等の被写体Ｔが載置される。アーム５６は、カメラヘッド５８を保持する。カメラヘッド５８は、レンズ、ＬＥＤ、およびＣＣＤなどの光電変換素子等を備えて構成され、載置面５４に載置された被写体Ｔを撮像する。操作パネル６０は、複数のボタン（ボタン型のスイッチ）を備え、使用者による書画カメラ５０に対する操作指令を入力する。
【００２８】
なお、アーム５６は、基台５２から上方側に延びて固定されたものであってもよいし、基台５２に向けて折りたたみ可能に回動する構成としてもよい。折りたたみ可能とすることで、書画カメラ５０をコンパクトにまとめることができる。使用時には、アーム５６の折りたたみを開いてアームを展開する。
【００２９】
かかる構成の書画カメラ５０によれば、載置面５４に載置された被写体Ｔを撮像し、その撮像により得られた画像を示す画像信号をプロジェクター１０に出力する。なお、プロジェクター１０と書画カメラ５０との間は、ＵＳＢケーブル６２を介してＵＳＢ接続されている。すなわち、プロジェクター１０と書画カメラ５０との間は、ＵＳＢインターフェイスを介して直接接続されている。
【００３０】
図２は、プロジェクター１０と書画カメラ５０の内部構成を示す説明図である。図示するように、プロジェクター１０は、制御部２０、記憶部２２、操作部２４、ＵＳＢインターフェイス部（ＵＳＢＩ／Ｆ部）２６、入力インターフェイス部（入力Ｉ／Ｆ部）２８、入力ソース切替部３０、画像処理部３２、および投写部３４を備える。バス３６で、制御部２０と、投写部３４を除く各部２２〜３２との間を接続する。
【００３１】
制御部２０は、ＣＰＵなどにより構成され、記憶部２２に記憶されているコンピュータープログラムに従って作動し、各部２２〜３２を制御する。記憶部２２は、画像データや各種のコンピュータープログラムを記憶する。各種のコンピュータープログラムとしては、周知のＵＳＢモジュール、ＵＳＢビデオクラスドライバー、画像表示プログラム、および後述する接続時処理用のプログラム等が記憶されている。
【００３２】
操作部２４は、プロジェクター１０に使用者からの操作指令を入力するためのもので、操作パネル（図示せず）、リモコン受光部（図示せず）等を含む。なお、操作パネルとリモコンには、プロジェクター１０で表示する画像の入力ソースを切り換えるための入力ソース切替用ボタン（図示せず）を備える。
【００３３】
ＵＳＢインターフェイス部２６は、ＵＳＢ（ユニバーサル・シリアル・バス）の規格に則って外部機器と制御データや画像データ等をやり取りするためのものである。本実施例では、書画カメラ５０はこのＵＳＢインターフェイス部２６と接続されている。
【００３４】
入力インターフェイス部２８は、ＵＳＢ以外の外部機器と制御データおよび画像データをやり取りするためのインターフェイスであり、ここでは、ＲＧＢインターフェイス、ビデオインターフェイス、Ｓ−ビデオインターフェイス等を含む。ＲＧＢインターフェイスにはパーソナルコンピューター９０が、ビデオインターフェイスにはＶＴＲ９１が、Ｓ−ビデオインターフェイスにはＤＶＤプレーヤー９２がそれぞれ接続されている。
【００３５】
入力ソース切替部３０は、ＵＳＢインターフェイス部２６と、入力インターフェイス部２８に備えられる各インターフェイスとの中から１つのインターフェイスを選択することで、プロジェクター１０で表示する画像の入力ソースを切り替える。
【００３６】
画像処理部３２は、入力ソース切替部３０により選択されたインターフェイスから入力される画像データもしくは映像データに基づいて画像表示用の表示用画像データを生成する。投写部３４は、図４に示すように、光源３４２、光変調素子３４４（３４４Ｒ，３４４Ｇ，３４４Ｂ）、投写レンズ３４６、照明光学系３４１、色分離光学系３４３、リレー光学系３４５および、合成光学系３４７等を備えて構成される。なお、本実施例のプロジェクター１０は、光変調素子３４４として透過型液晶パネルを採用する。光源３４２から射出された白色光は、照明光学系３４１、色分離光学系３４３、リレー光学系３４５を経て、赤光、緑光および青光に分離され、それぞれ、画像処理部３２によって生成される表示用画像データに基づいて光変調素子３４４により光変調された後、合成光学系３４７に入射する。光変調素子３４４によって変調された各色の画像光は、合成光学系３４７によって合成され、投写レンズ３４６から投写される。合成光学系３４７は、ダイクロイックプリズム等によって構成することができる。
【００３７】
図２に図示するように、書画カメラ５０は、制御部７０、記憶部７２、操作部７４、ＵＳＢインターフェイス部（ＵＳＢＩ／Ｆ部）７６、照明部７８、照明制御部８０、撮像部８２、画像処理部８４、および解像度変換部８６を備える。バス８８で、制御部７０と、照明部７８および撮像部８２を除く各部７２〜７６、８０、８４、８６との間を接続する。
【００３８】
制御部７０は、ＣＰＵ、ＤＳＰなどにより構成され、記憶部７２に記憶されているコンピュータープログラムに従って作動し、書画カメラ５０に備えられる各部７０〜８６を制御する。記憶部７２は、画像データや各種のコンピュータープログラムを記憶する。各種のコンピュータープログラムとしては、周知のＵＳＢモジュール、ＵＳＢクラスドライバー、後述する接続時処理用のプログラム等が記憶されている。
【００３９】
操作部７４は、書画カメラ５０に使用者からの操作指令を入力するためのもので、書画カメラ５０に設けられている操作パネル６０（図１）を含む。
【００４０】
ＵＳＢインターフェイス部７６は、ＵＳＢの規格に則って外部機器と制御データや画像データ等をやり取りするためのものである。本実施例では、このＵＳＢインターフェイス部７６は、プロジェクター１０のＵＳＢインターフェイス部２６と接続されている。両ＵＳＢインターフェイス部２６、７６が、本発明の構成要素である「ＵＳＢインターフェイス」に相当する。
【００４１】
照明部７８は、被写体Ｔに光を照射するＬＥＤなどの光源である。照明制御部８０は、照明部７８のオン／オフなどを制御する。撮像部８２は、ＣＣＤなどの光電変換素子や、ＡＥ（自動露出）／ＡＦ（自動フォーカス）制御を行う駆動部等を備える。撮像部８２はカメラヘッド５８（図１）に内蔵される。画像処理部８４は、撮像部８２により得られた画像を示す画像信号に対してホワイトバランスなどの画像処理を施す。解像度変換部８６は、撮像部８２により得られた画像の解像度をプロジェクター１０が要求した解像度へ変換する。このプロジェクター１０の要求は、ＵＳＢＩ／Ｆ部７６を介してプロジェクター１０から送られてくる。
【００４２】
なお、書画カメラ５０は、ＵＳＢインターフェイス部２６を介してプロジェクター１０側から電源の供給を受けるように構成されている。
【００４３】
以上のように構成されたプロジェクター１０および書画カメラ５０は、次のように動作して、被写体Ｔ（図１）の画像の表示を行う。すなわち、書画カメラ５０側では、制御部７０は、操作部７４の操作を受けると、照明制御部８０、画像処理部８４、および解像度変換部８６を制御することで、載置面５４（図１）に載置された被写体Ｔの撮像を行い、その撮像により得られた画像信号（画像データ）を記憶部７２に一旦記憶する。その後、制御部７０は、ＵＳＢＩ／Ｆ部７６を介して、記憶部７２に記憶された画像信号をプロジェクター１０側に送信する。
【００４４】
プロジェクター１０側では、制御部２０は、ＵＳＢＩ／Ｆ部２６を介して、書画カメラ５０から送られてくる画像信号を受信し、画像処理部３２を制御することで、その受信した画像信号に基づいて表示用画像データを生成する。この結果、投写部３４により、前記表示用画像データに基づいて光変調した投写光が投写される。この結果、スクリーンＳＣ（図１）に被写体Ｔの画像が表示される。
【００４５】
プロジェクター１０は、先に説明したように、書画カメラ５０以外にも種々の入力ソースを備える。プロジェクター１０の制御部２０は、操作部２４に備えられた入力ソース切替用ボタン（図示せず）に対する使用者による操作を受けたときに、入力ソース切替部３０を作動させて、ＵＳＢインターフェイス部２６、および入力インターフェイス部２８に備えられる各インターフェイスの中から一つのインターフェイスを選択することで、プロジェクター１０で表示する画像の入力ソースの切り替えを行う。
【００４６】
さらに、本実施例では、書画カメラ５０がプロジェクター１０に接続されたときに、書画カメラ５０で撮像された画像をプロジェクター１０で投写することが自動的に開始される。プロジェクター１０と書画カメラ５０とが接続されたときのプロジェクター１０および書画カメラ５０の動作について、次に詳細に説明する。
【００４７】
２．ソフトウェアの構成：
図３は、プロジェクター１０および書画カメラ５０の各制御部２０、７０で実行される接続時処理を示すフローチャートである。図中、右側がプロジェクター１０の制御部２０についての接続時処理であり、左側が書画カメラ５０の制御部７０についての接続時処理である。
【００４８】
処理が開始されると、各制御部（以下、「プロジェクター制御部２０」、「書画カメラ制御部７０」とも呼ぶ）２０、７０は、最初に、プロジェクター１０と書画カメラ５０との間のＵＳＢによる接続を検出する処理を行う（ステップＳ１１０、Ｓ２１０）。この処理は、ＵＳＢケーブル６２を用いて、プロジェクター１０のＵＳＢインターフェイス部２６と書画カメラ５０のＵＳＢインターフェイス部７６との間が接続されることを検出する。図示はしないが、この接続を受けて、ＵＳＢケーブル６２を介してプロジェクター１０から書画カメラ５０への電源供給が開始される。なお、各制御部２０、７０は、接続の検出がなされない場合には、接続検出がなされるのを待つ。
【００４９】
各制御部２０、７０は、ＵＳＢ接続の検出がなされると、次いで、コンフィグレーションの設定を行う（ステップＳ１２０、Ｓ２２０）。詳細には、プロジェクター制御部２０は、書画カメラ５０へコンフィグレーションディスクリプターを要求し、書画カメラ制御部７０は、その要求に応えてコンフィグレーションディスクリプターをプロジェクター１０に返答する。プロジェクター制御部２０は、書画カメラ５０から送られてくるコンフィグレーションディスクリプターを取得する。
【００５０】
ディスクリプターには、書画カメラ５０がＵＳＢ規格に準じた装置として動作することを示すコンフィグレーションディスクリプターが含まれる。コンフィグレーションディスクリプターには、書画カメラ５０の機能でプロジェクター１０が制御できる機能一覧や、サポートしているフレームの解像度、サポートしているフレームのフォーマット（ＭＪＰＥＧ／ＹＵＶ）、および色空間の種類（ｓＲＧＢ／ＢＴ．４７０−２（Ｍ）／ＢＴ．４７０−２（Ｒ，Ｇ）／ＳＭＰＴＥ１７０Ｍ／ＳＭＰＴＥ２４０Ｍ）などが含まれる。色空間の種類については、書画カメラ５０内部で移用する色空間が決定されており、この決定された色空間がコンフィグレーションディスクリプターに含まれている。
【００５１】
ステップＳ１２０、Ｓ２２０のコンフィグレーション設定は、実際は、ＵＳＢ接続検出後に実行開始されるエニュメレーションの過程で行われるものである。すなわち、実際は、ＵＳＢの規格に準じたエニュメレーションの処理が行われるが、図示のフローチャートでは主要な構成であるコンフィグレーション設定だけを記載している。
【００５２】
プロジェクター制御部２０は、ディスクリプターが正常に取得できると、ＵＳＢビデオクラスドライバーをロードする（ステップＳ１３０）。詳細には、ディスクリプターに含まれているデバイスクラス情報からＵＳＢビデオデバイスクラスであることを検知して、ＵＳＢビデオクラスドライバーをロードする。このロードされたＵＳＢビデオクラスドライバーを必要に応じて用いながら以下の処理は実行される。
【００５３】
ステップＳ１３０の実行後、プロジェクター制御部２０は、プロジェクター１０がスタンバイ状態にあるか否かを判定し（ステップＳ１４０）、スタンバイ状態にあるときは、プロジェクター１０の電源をオン状態とする（ステップＳ１５０）。ステップＳ１５０の実行後、ステップＳ１６０に処理を進める。ステップＳ１４０で、スタンバイ状態でない、すなわち電源オン状態にあると判定されたときには、ステップＳ１６０に処理を進める。
【００５４】
ステップＳ１６０では、プロジェクター制御部２０は、プロジェクター１０の現在の入力ソース、すなわちカレントソースは、書画カメラ５０であるか否かを判定する。ここで、カレントソースは書画カメラ５０でないと判定されたときには、プロジェクター１０の入力ソースを書画カメラ５０に切り替える処理を行う（ステップＳ１７０）。詳細には、入力ソース切替部３０を動作させて、プロジェクター１０で表示する画像の入力ソースを書画カメラ５０に切り替える。ステップＳ１６０およびＳ１７０が、本発明の構成要素である「切替制御部」に対応する。ステップＳ１７０の実行後、ステップＳ１８０に処理を進める。ステップＳ１６０で、カレントソースは書画カメラ５０であると判定されたときには、ステップＳ１８０に処理を進める。
【００５５】
ステップＳ１８０では、プロジェクター制御部２０は、書画カメラ５０の制御パラメーターを取得する処理を行う。この処理は、書画カメラ５０に対して各種の制御パラメーターを要求し、その要求に応えて書画カメラ５０から送られてくる各種の制御パラメーターを取得する。制御パラメーターは、例えば、プロジェクター１０から制御できる書画カメラ５０の機能（ズーム、コントラスト調整、ブライトネス調整など）の設定範囲値（Ｍｉｎ／Ｍａｘ）や、上記機能の現在の設定値等である。これら制御パラメーターは、プロジェクター１０側の図示しない処理により必要に応じて利用される。
【００５６】
書画カメラ制御部７０は、プロジェクター制御部２０から制御パラメーターの要求を受けると、その要求に応えて制御パラメーターをプロジェクター１０に送信する（ステップＳ２３０）。
【００５７】
プロジェクター制御部２０は、ステップＳ１８０の実行後、ストリームネゴシエーションの処理を行う（ステップＳ１９０）。ここでいうストリームネゴシエーションとは、ステップＳ１２０で取得したコンフィグレーションディスクリプターに基づいてプロジェクター１０の設定を行う処理である。書画カメラ制御部７０は、プロジェクター制御部２０とやりとりを行いつつ、同様にストリームネゴシエーションの処理を行う（ステップＳ２４０）。ステップＳ１９０およびＳ２４０の処理は、詳細には、フレーム解像度、フレームフォーマット、インターバル、バンド幅などストリーム（画像データ）を送出するための条件を確定する。
【００５８】
書画カメラ制御部７０は、ステップＳ２４０の実行後、ステップＳ２４０で確定した条件でストリームの送信を行う（ステップＳ２５０）。プロジェクター制御部２０は、ステップＳ１９０の実行後、書画カメラ５０に対してストリームの送信を要求し、ステップＳ２５０で送信されたストリームを受信する（ステップＳ１９２）。その後、プロジェクター制御部２０は、ステップＳ１２０で取得したコンフィグレーションディスクリプターに含まれる色空間の種類に基づいて、ステップＳ１９２で受信したストリームである画像データを色補正する処理を行う（ステップＳ１９４）。すなわち、プロジェクター制御部２０は、画像処理部３２を作動させて、プロジェクター１０の色域内で目標特性を忠実に再現できるようにカラーマッチングを行うことで、表示用画像データを生成しているが、ステップＳ１９４では、上記目標特性を、ステップＳ１８０で取得した色空間の種類に基づいて設定する。この結果、表示用画像データは、プロジェクター１０の色域内で忠実に再現できるように色補正される。
【００５９】
続いて、プロジェクター制御部２０は、投写部３４を動作させて、ステップＳ１９４で生成した表示用画像データの投写を実行させる（ステップＳ１９６）。プロジェクター制御部２０は、その後、この接続時処理を終了する。書画カメラ制御部７０は、ステップＳ２５０の実行後、接続時処理を終了する。
【００６０】
３．作用、効果：
以上のように構成された本実施例のプロジェクターシステム１００では、書画カメラ５０とプロジェクター１０との間でＵＳＢインターフェイスによる通信が確立されると、プロジェクター１０は、自動的に入力ソースを書画カメラ５０に切り替える。その後、書画カメラ５０からストリームが送信され、プロジェクター１０はそのストリームを受信する。したがって、使用者は、プロジェクター１０と書画カメラ５０とをＵＳＢ接続するだけで、書画カメラ５０で撮像された画像をプロジェクター１０で簡単に表示することができる。
【００６１】
また、本実施例のプロジェクターシステム１００では、書画カメラ５０とプロジェクター１０との間でＵＳＢインターフェイスによる通信が確立された後に、プロジェクター１０がスタンバイ状態にあるときには、プロジェクター１０の電源をオン状態に自動的に切り替える。また、プロジェクター１０は、自動的に入力ソースを書画カメラ５０に切り替える。したがって、書画カメラ５０で撮像された画像をプロジェクター１０で簡単に表示することが確実に行われる。
【００６２】
さらに、本実施例では、プロジェクター１０において、コンフィグレーション設定により得られたコンフィグレーションディスクリプターに含まれる色空間の種類に基づいて色補正を行っていることから、書画カメラ５０で得られた画像は、プロジェクター１０の色域内で忠実に再現できるように色補正される。したがって、プロジェクター１０での色の再現性に優れている。
【００６３】
４．変形例：
なお、この発明は上記の実施例やその変形例に限られるものではなく、その要旨を逸脱しない範囲において種々の態様において実施することが可能であり、例えば次のような変形も可能である。
【００６４】
（１）上記実施例では、プロジェクターシステム１００を構成するプロジェクター１０と書画カメラ５０との接続時処理において、書画カメラ制御パラメーターの取得と送信（ステップＳ１８０、ステップＳ２３０）を行っていたが、この処理は省く構成としてもよい。また、上記実施例では、ステップＳ１９４で画像色補正処理を行っていたが、この画像色補正処理は省く構成としてもよい。さらに、ステップＳ１６０およびＳ１７０の入力ソースを書画カメラ５０に切り替える処理は、ステップＳ１８０の直後、またはＳ１９０の直後に移動した構成としてもよい。
【００６５】
（２）上記実施例では、画像信号供給装置として書画カメラ５０を用いていたが、これに替えて、撮像部を備える他の画像信号供給装置、例えば、ウェブカメラ、デジタルスチールカメラ、ビデオカメラ等を用いる構成としてもよい。
【００６６】
（３）上記実施例では、画像表示装置として、光変調素子３４４が透過型液晶パネルで構成されたプロジェクター１０を例示したが、光変調素子３４４を、反射型液晶パネルや、マイクロミラーデバイスを用いて構成することもできる。また、上記実施例では、３つの光変調素子３４４を採用したプロジェクター１０を用いて発明を説明したが、光変調素子３４４の数は、３つに限定されるものではない。たとえば、照明光学系３４１に回転するカラーホイールを設け、１個の光変調素子３４４を用いて時分割的に各色の画像光を生成するようにしてもよい。さらに、４個以上の光変調素子３４４を用いる構成も可能である。
【００６７】
（４）上記実施例では、画像表示装置として、外部のスクリーンＳＣに画像を投影するプロジェクター１０を用いていたが、これに替えて、スクリーンと、スクリーンの背面側に画像を投影するプロジェクターとを備えるプロジェクションテレビを用いる構成としてもよい。さらには、プロジェクターに限るものではなく、直視型の各種フラットパネルディスプレイ装置等の種々の画像表示装置に換えることもできる。
【００６８】
（５）上記実施例では、画像信号供給装置としての書画カメラ５０と画像表示装置としてのプロジェクター１０との間がＵＳＢケーブル６２により接続されていたが、これに換えてワイヤレスＵＳＢにより両者の間が無線を介して接続された構成とすることもできる。
【００６９】
（６）また、上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【符号の説明】
【００７０】
１０…プロジェクター
２０…制御部
２２…記憶部
２４…操作部
２６…ＵＳＢインターフェイス部
２８…入力インターフェイス部
３０…入力ソース切替部
３２…画像処理部
３４…投写部
５０…書画カメラ
５２…基台
５４…載置面
５６…アーム
５８…カメラヘッド
６０…操作パネル
７０…制御部
７２…記憶部
７４…操作部
７６…ＵＳＢインターフェイス部
７８…照明部
８０…照明制御部
８２…撮像部
８４…画像処理部
８６…解像度変換部
９０…パーソナルコンピューター
９１…ビデオテープレコーダー
９２…ＤＶＤプレーヤー
１００…プロジェクターシステム
３４１…照明光学系
３４２…光源
３４３…色分離光学系
３４４Ｒ…赤光用光変調素子
３４４Ｇ…緑光用光変調素子
３４４Ｂ…青光用光変調素子
３４５…リレー光学系
３４６…投写レンズ
３４７…合成光学系
Ｔ…被写体
ＳＣ…スクリーン。
【図１】
2011186364.tif 000003
【図２】
2011186364.tif 000004
【図３】
2011186364.tif 000005
【図４】
2011186364.tif 000006